(57)【特許請求の範囲】
【請求項１】
無線送信／受信ユニット（ＷＴＲＵ）によって実行される方法であって、
前記方法は、
アップリンクデータチャネルを介してアップリンク制御情報およびアップリンクデータの組み合わせを送信するステップであって、前記アップリンク制御情報は、物理レイヤ制御情報を備える、ステップと、
前記アップリンクデータチャネルがアップリンクデータを送信することに使用可能ではないという条件で、アップリンク制御チャネルを介して前記アップリンク制御情報を送信するステップと
を備えることを特徴とする方法。
【請求項２】
アップリンク制御情報およびアップリンクデータの組み合わせを送信するステップは、前記アップリンクデータチャネルについてのアップリンクリソース割り当てを利用するステップを備えることを特徴とする請求項１に記載の方法。
【請求項３】
ダウンリンク制御チャネルを介して、前記アップリンクデータチャネルについてのアップリンクリソース割り当てを受信するステップをさらに備えることを特徴とする請求項１に記載の方法。
【請求項４】
アップリンク制御チャネルを介してスケジューリング要求を送信するステップをさらに備えることを特徴とする請求項１乃至３のいずれかに記載の方法。
【請求項５】
前記アップリンク制御情報は、複数の異なるタイプの制御情報を備えることを特徴とする請求項１乃至４のいずれかに記載の方法。
【請求項６】
前記物理レイヤ制御情報は、フィードバック情報を備えることを特徴とする請求項１乃至５のいずれかに記載の方法。
【請求項７】
前記物理レイヤ制御情報は、チャネル品質インジケータ（ＣＱＩ）を備えることを特徴とする請求項１乃至６のいずれかに記載の方法。
【請求項８】
前記物理レイヤ制御情報は、肯定応答および否定応答のいずれかを備えることを特徴とする請求項１乃至７のいずれかに記載の方法。
【請求項９】
前記アップリンク制御情報およびアップリンクデータの組み合わせは、前記アップリンクデータチャネル上で送信するための前記アップリンクデータとともにピギーバックされる前記アップリンク制御情報を備えることを特徴とする請求項１乃至８のいずれかに記載の方法。
【請求項１０】
前記アップリンク制御情報およびアップリンクデータの組み合わせは、前記アップリンクデータと多重化される前記アップリンク制御情報を備えることを特徴とする請求項１乃至８のいずれかに記載の方法。
【請求項１１】
送信機、受信機およびプロセッサを備える無線送信／受信ユニット（ＷＴＲＵ）であって、前記送信機は、
アップリンクデータチャネルを介してアップリンク制御情報およびアップリンクデータの組み合わせを送信し、前記アップリンク制御情報は、物理レイヤ制御情報を備え、
前記アップリンクデータチャネルがアップリンクデータを送信することに使用可能ではないという条件で、アップリンク制御チャネルを介して前記アップリンク制御情報を送信する
ように構成される
ことを特徴とするＷＴＲＵ。
【請求項１２】
前記送信機は、アップリンク制御情報およびアップリンクデータの組み合わせを送信するために前記アップリンクデータチャネルについてのアップリンクリソース割り当てを利用するように構成されることを特徴とする請求項１１に記載のＷＴＲＵ。
【請求項１３】
前記受信機は、ダウンリンク制御チャネルを介して、前記アップリンクデータチャネルについてのアップリンクリソース割り当てを受信するように構成されることを特徴とする請求項１１に記載のＷＴＲＵ。
【請求項１４】
前記送信機は、アップリンク制御チャネルを介してスケジューリング要求を送信するように構成されることを特徴とする請求項１１乃至１３のいずれかに記載のＷＴＲＵ。
【請求項１５】
前記アップリンク制御情報は、複数の異なるタイプの制御情報を備えることを特徴とする請求項１１乃至１４のいずれかに記載のＷＴＲＵ。
【請求項１６】
前記物理レイヤ制御情報は、フィードバック情報を備えることを特徴とする請求項１１乃至１５のいずれかに記載のＷＴＲＵ。
【請求項１７】
前記物理レイヤ制御情報は、チャネル品質インジケータ（ＣＱＩ）を備えることを特徴とする請求項１１乃至１６のいずれかに記載のＷＴＲＵ。
【請求項１８】
前記物理レイヤ制御情報は、肯定応答および否定応答のいずれかを備えることを特徴とする請求項１１乃至１７のいずれかに記載のＷＴＲＵ。
【請求項１９】
前記アップリンク制御情報およびアップリンクデータの組み合わせは、前記アップリンクデータチャネル上で送信するための前記アップリンクデータとともにピギーバックされる前記アップリンク制御情報を備えることを特徴とする請求項１１乃至１８のいずれかに記載のＷＴＲＵ。
【請求項２０】
前記アップリンク制御情報およびアップリンクデータの組み合わせは、前記アップリンクデータと多重化される前記アップリンク制御情報を備えることを特徴とする請求項１１乃至１８のいずれかに記載のＷＴＲＵ。
【発明の詳細な説明】
【技術分野】
【０００１】
本発明は、無線通信システムに関する。より詳細には、本発明は、高速ダウンリンク及び高速アップリンクをサポートする制御情報を提供する方法及びシステムに関する。
【背景技術】
【０００２】
第３世代パートナーシッププロジェクト（３ＧＰＰ）のリリース５と６はそれぞれ、ダウンリンク及びアップリンクでの高速伝送のために、ＨＳＤＰＡ及びＨＳＵＰＡを規定している。ＨＳＤＰＡ及びＨＳＵＰＡの動作のために、ノードＢが、複数のユーザ装置（ＵＥ）に無線リソースを配分し、ＵＥにいくつかの物理チャネルを用意する。
【０００３】
ＨＳＤＰＡには、２つのダウンリンク物理チャネルと１つのアップリンク物理チャネルがある。ダウンリンク物理チャネルには、ＨＳ−ＳＣＣＨ（High Speed Shared Control Channel）とＨＳ−ＰＤＳＣＨ（High Speed Physical Downlink Shared Channel）が含まれる。アップリンク物理チャネルには、ＨＳ−ＤＰＣＣＨ（High Speed Dedicated Physical Control Channel）が含まれる。
【０００４】
ＨＳ−ＳＣＣＨは、ダウンリンクＨＳＤＰＡ制御情報を伝達する。ダウンリンクＨＳＤＰＡ制御情報は、チャネル化コードセット、変調スキーム、トランスポートブロックサイズ、ハイブリッド自動再送要求（Ｈ−ＡＲＱ）プロセス情報、冗長度及びコンステレーションバージョン、新データ表示、並びにＵＥアイデンティティ（ＩＤ）を含む。ＵＥは、無線リソース制御（ＲＲＣ）シグナリングによって、セルの最大４つのＨＳ−ＳＣＣＨに割り当てられる。ＵＥは、ＨＳＤＰＡ用の制御情報を受信する前に、配分されたＨＳ−ＳＣＣＨのすべてをモニタする必要がある。
【０００５】
ＨＳ−ＰＤＳＣＨは、ダウンリンクＨＳＤＰＡデータパケットを運ぶ。ＨＳ−ＰＤＳＣＨの処理（例えば、周期的冗長検査（ＣＲＣ）及びＨ−ＡＲＱ処理）に基づき、ＵＥは、ＨＳ−ＤＰＣＣＨを介してノードＢに肯定応答（ＡＣＫ）信号または否定応答（ＮＡＣＫ）信号を送信する。ＨＳ−ＤＰＣＣＨは、チャネル品質表示（ＣＱＩ）も伝達する。
【０００６】
ＨＳＵＰＡには、３つのダウンリンク物理チャネルと２つのアップリンク物理チャネルがある。ダウンリンク物理チャネルは、Ｅ−ＡＧＣＨ（E-DCH（Enhanced Dedicated Channel） Absolute Grant Channel）と、Ｅ−ＲＧＣＨ（E-DCH Relative Grant Channel）と、Ｅ−ＨＩＣＨ（E-DCH H-ARQ Indicator Channel）を含む。アップリンク物理チャネルは、Ｅ−ＤＰＤＣＨ（E-DCH Dedicated Physical Data Channel）と、Ｅ−ＤＰＣＣＨ（E-DCH Dedicated Physical Control Channel）を含む。
【０００７】
Ｅ−ＡＧＣＨは、アップリンクＥ−ＤＣＨ絶対伝送速度（すなわち、Ｅ−ＤＰＤＣＨとＤＰＣＣＨ（Dedicated Physical Control Channel）との最大電力比）を伝達する。Ｅ−ＡＧＣＨのチャネル化コードは、各ＵＥに別々に伝えられる。Ｅ−ＲＧＣＨは、アップリンクＥ−ＤＣＨ相対伝送速度を伝達する。Ｅ−ＨＩＣＨは、Ｅ−ＤＣＨ  Ｈ−ＡＲＱ確認応答表示（すなわち、ＡＣＫまたはＮＡＣＫ）を伝達する。Ｅ−ＤＰＤＣＨは、アップリンクＨＳＵＰＡデータパケットを運ぶ。Ｅ−ＤＰＣＣＨは、ＴＦＣＩ（Transport Format Combination Index）情報、ＲＳＮ（Retransmission Sequence Number）及びハッピービットを伝達する。
【０００８】
以下の表１と表２はそれぞれ、ＨＳＤＰＡ及びＨＳＵＰＡのダウンリンクで送信される制御情報を要約し、以下の表３と表４はそれぞれ、ＨＳＤＰＡ及びＨＳＵＰＡのアップリンクで送信される制御情報を要約する。
【０００９】
【表１】
0005616492.tif 000002
【００１０】
【表２】
0005616492.tif 000003
【００１１】
【表３】
0005616492.tif 000004
【００１２】
【表４】
0005616492.tif 000005
【発明の概要】
【００１３】
本発明は、高速データ伝送をサポートする制御情報を提供する方法及びシステムに関する。ノードＢが、無線送信／受信ユニット（ＷＴＲＵ）に、少なくとも１つのダウンリンク制御チャネル及び少なくとも１つのアップリンク制御チャネルを割り当てる。ダウンリンク制御チャネル及びアップリンク制御チャネルは、ダウンリンクデータ伝送とアップリンクデータ伝送の両方に関する制御情報を伝達するために用意される。ＨＳＤＰＡ及びＨＳＵＰＡ用の従来の制御チャネルは、アップリンク及びダウンリンク用の制御チャネルの縮減セットに複合される。ノードＢとＷＴＲＵは、ダウンリンク制御チャネル及びアップリンク制御チャネルの縮減セットによって、制御情報を通信する。ダウンリンク制御チャネル及びアップリンク制御チャネルの縮減セットによって伝送された制御情報に基づき、ＷＴＲＵは、ダウンリンクデータの受信とアップリンクデータの送信を行い、ノードＢは、アップリンクデータの受信とダウンリンクデータの送信を行う。
【図面の簡単な説明】
【００１４】
【図１】本発明によって構成されたシステムのブロック図である。
【図２】本発明の一実施形態による制御パケット及びデータパケットの伝送プロセス例のフロー図である。
【図３】本発明の別の実施形態による制御パケット及びデータパケットの伝送プロセス例のフロー図である。
【発明を実施するための形態】
【００１５】
本明細書で言及する場合、「ＷＴＲＵ」という用語は、ユーザ装置（ＵＥ）、移動機（ＳＴＡ）、固定加入者ユニットもしくは移動加入者ユニット、ページャ、または無線環境で動作可能な他の任意の種類の機器も含むが、それに限定されない。本明細書で言及する場合、「ノードＢ」という用語は、基地局、ｅノードＢ、サイトコントローラ、アクセスポイント（ＡＰ）または無線環境にある他の任意の種類のインタフェース機器も含むが、それに限定されない。
【００１６】
本発明の機能は、集積回路（ＩＣ）に組み入れられてもよいし、多数の相互接続構成要素を備える回路で構成されてもよい。
【００１７】
現在の３ＧＰＰ規格には、ＨＳＤＰＡ及びＨＳＵＰＡの動作をサポートするために、４つのダウンリンク制御チャネルと２つのアップリンク制御チャネルがある。本発明によれば、従来の２つのアップリンク制御チャネルは、少なくとも１つのアップリンク制御チャネルに複合され（combine）、従来の４つのダウンリンク制御チャネルは、少なくとも１つのダウンリンク制御チャネルに複合される。高速アップリンク及び高速ダウンリンクのために使用されるこれらの制御チャネルに加えて、関連した個別制御チャネルで送られる情報（例えば、アップリンクＤＰＣＣＨ及びダウンリンクＤＰＣＣＨの送信電力制御（ＴＰＣ））も複合し得る。
【００１８】
図１は、本発明によって構成された無線通信システム１００のブロック図である。システム１００は、ノードＢ１０２及びＷＴＲＵ１０４を含む。ノードＢ１０２とＷＴＲＵ１０４の間に、アップリンク制御チャネル１１２、ダウンリンク制御チャネル１１４、ダウンリンクデータチャネル１１６、及びアップリンクデータチャネル１１８が確立される。チャネル１１２〜１１８は、好ましくはノードＢ１０２または無線ネットワークコントローラ（ＲＮＣ）によって、ＷＴＲＵ１０４に配分される。チャネル１１２〜１１８は、周波数、時間、電力、アンテナ及びコードの少なくとも１つの組み合わせによって規定されてもよい。あるアンテナとある電力は、あるユーザへの伝送に使用されてもよく、異なるアンテナと異なる電力のセットは、別のユーザへの伝送に使用されてもよい。従って、複数のチャネルが、異なるアンテナと異なる電力を使用して、同じ周波数と同じコードで同時に利用可能であってもよい。ノードＢ１０２は、ＷＴＲＵ１０４を、１つ以上のダウンリンク制御チャネル及び１つ以上のアップリンク制御チャネル、並びに１つ以上のダウンリンクデータチャネル及び１つ以上のアップリンクデータチャネルで送受信するように構成してもよい。
【００１９】
ＷＴＲＵ１０４は、ダウンリンク制御チャネル１１４をリッスンし、ダウンリンクデータチャネル、アップリンク制御チャネル及びアップリンクデータチャネルについての制御情報を得る。一旦ＷＴＲＵ１０４にアップリンク制御チャネル１１２及びダウンリンクデータチャネル１１６が設定されると、ＷＴＲＵ１０４は、割り当てられたダウンリンクデータチャネル１１６、アップリンク制御チャネル１１２及びアップリンクデータチャネル１１８で、データの受信あるいは制御情報及びデータ情報の送信を行う。
【００２０】
制御情報には、スケジューリング情報、パケット解読情報、受信プロセス情報及びフィードバック情報を含んでもよい。パケット解読情報、受信プロセス情報及びフィードバック情報は、送信時間間隔（ＴＴＩ）ごとに送信する必要がある。スケジューリング情報は、ＴＴＩごとに送信してもよいし、必要に応じて送信してもよい。
【００２１】
パケット解読情報は、変調スキーム、符号化レート及びパケットサイズを含んでもよい。変調スキーム、符号化レート及びパケットサイズに関する情報は、無線伝送の１つのパラメータに複合してもよい。
【００２２】
受信プロセス情報には、Ｈ−ＡＲＱプロセスＩＤ、新データ表示、冗長度バージョン、パケットシーケンス番号及び送信機のステータス情報を含んでもよい。Ｈ−ＡＲＱプロセスＩＤは、非同期Ｈ−ＡＲＱだけに必要であり、同期Ｈ−ＡＲＱには必要ない。冗長度バージョンは、新しいデータを示すためにも使用してもよい。パケットシーケンス番号は、送信機のＨ−ＡＲＱプロセス内のパケットのシーケンス番号を示す。これは、再送及び前に失敗した伝送をソフトまたはハード合成するのに役立つパラメータである。ステータス情報は、Ｈ−ＡＲＱ支援ＡＲＱ動作（H-ARQ assisted ARQ operation）で使用してもよく、そこでは、Ｈ−ＡＲＱと一緒に、進行中の伝送ステータスを表すフィードバック情報を報告してもよい。
【００２３】
フィードバック情報には、Ｈ−ＡＲＱ  ＡＣＫ／ＮＡＣＫ、制御チャネルのＣＱＩ、データチャネルのＣＱＩ、パケットシーケンス番号、Ｈ−ＡＲＱプロセスＩＤ、受信機のステータス情報、送信ダイバーシティ情報（送信ダイバーシティをサポートする位相情報及び振幅情報）、及び電力制御情報を含んでもよい。
【００２４】
スケジューリング情報は、スケジューリング要求またはスケジューリング応答である。スケジューリング応答は、ノードＢ１０２からＷＴＲＵ１０４へ送信され、スケジューリング要求は、ＷＴＲＵ１０４からノードＢ１０２へ送信される。スケジューリング応答は、副ダウンリンク制御チャネルへのリソース割り当て（適用可能な場合）、ダウンリンクデータチャネル１１６へのリソース割り当て、アップリンク制御チャネル１１２へのリソース割り当て、アップリンクデータチャネル１１８へのリソース割り当て、及び必要な場合アップリンクタイミング調整の少なくとも１つを含んでもよい。副ダウンリンク制御チャネルは、ポイントツーポイントサービスに関して１つのＷＴＲＵ１０４への個別制御チャネルであり、ポイントツーマルチポイントサービスの場合は多分いくつかのＷＴＲＵへの個別制御チャネルである。ＷＴＲＵ１０４は、副制御チャネルを示すリソース割り当てに続いて、チャネルをリッスンし復号化する。ＷＴＲＵ１０４は、アップリンクスロットで正しく送信するためにフレーム配列タイミングを必要とする。ＷＴＲＵ１０４のクロックは時間とともにドリフトし、伝搬遅延は移動によって変化するので、ＷＴＲＵ１０４は、ノードＢ１０２からのフィードバックに基づき、そのクロックを調整する必要がある。この情報は、ノードＢ１０２が指定範囲外の受信を検出するときはいつも送信される。
【００２５】
従来の３ＧＰＰ規格では、無線リソースは、ＨＳＤＰＡに対してはＴＴＩごとに、ＨＳＵＰＡに対しては無期限に割り当てられる。無線リソースの割り当てに融通性をもたらすために、継続期間フィールドを付加し、各リソース割り当てが、物理リソース割り当て情報及び物理リソース割り当てが有効である期間を示す継続期間を含んでもよい。継続期間は、ＷＴＲＵ１０４へのあるＴＴＩの継続的な割り当てであってもよいし、リソースの一定時間の周期的割り当てであってもよい。例えば、継続期間フィールドは、「ｎ」ＴＴＩで示されてもよく、ここで「ｎ」は１から無限の値を有してもよい。「１」の値は、リソースが１つのＴＴＩに割り当てられることを示し、「無限」の値はリソースの無限の割り当てを示す。リソースが無限の期間割り当てられる場合、ＷＴＲＵ１０４は、リソースの解放について明示的に通知される。
【００２６】
スケジューリング応答は、ダウンリンク制御チャネル１１４で別々に送信されてもよい。あるいは、スケジューリング応答は、パケット解読情報、受信プロセス情報及びフィードバック情報の少なくとも１つを持つ信号パケットに多重されてもよい。あるいは、スケジューリング応答は、データパケットに便乗して（piggyback）ダウンリンクデータチャネル１１６で送信されてもよい。
【００２７】
あるいは、２つの個別のダウンリンク制御チャネルが、ＷＴＲＵ１０４に割り当てられてもよく（すなわち、主（primary）ダウンリンク制御チャネル及び副（secondary）ダウンリンク制御チャネル）、スケジューリング応答は、主ダウンリンク制御チャネルを介して送信されてもよく、他の制御情報（すなわち、パケット解読情報、受信プロセス情報、タイミング調整及びフィードバック情報）は、副ダウンリンク制御チャネルを介して送信されてもよい。主ダウンリンク制御チャネルを複数のＷＴＲＵで共用し、副ダウンリンク制御チャネルをポイントツーポイントサービスに関しては１つのＷＴＲＵで専用し、ポイントツーマルチポイントサービスに関してはＷＴＲＵのセットで専用することが好ましい。主ダウンリンク制御チャネルは、全ＷＴＲＵがリッスンしている共通制御チャネルである。副制御チャネルは、特定の主制御チャネルでアドレス指定された特定のＷＴＲＵだけがリッスンする個別制御チャネルである。
【００２８】
スケジューリング要求は、各サービスタイプもしくは各データフローに対するバッファ使用率と、関連サービス品質（ＱｏＳ）要件と、各サービスに対する最初のパケットのキューの時間と、ＷＴＲＵ電力ヘッドルーム（すなわち、要求されたアップリンクリソースチャネルに対して利用可能な電力）などの情報の全部または一部を有してもよい。スケジューリング要求は、アップリンク制御チャネル１１２で別々に送信されてもよいし、他の制御情報に便乗してアップリンク制御チャネル１１２で送信されてもよいし、アップリンクデータに便乗してアップリンクデータチャネル１１８で送信されてもよいし、アップリンクデータチャネル１１８で個別のパケットによって送信されてもよいし、またランダムアクセスチャネル（ＲＡＣＨ）（図１に示さず）を介して送信されてもよい。好ましくは、アクティブ送信中に（すなわち、アップリンク制御チャネル１１２が存在する）、スケジューリング要求は、他の制御情報に便乗してアップリンク制御チャネル１１２で送信される。アップリンク制御チャネル１１２がない場合、スケジューリング要求は、ＲＡＣＨで送信されるのが好ましい。
【００２９】
アップリンク制御チャネル１１２及びダウンリンク制御チャネル１１４での制御情報の送信に関して、全制御情報を所与のＴＴＩで送信する必要はないので、制御情報は２つの部分に分割されてもよい。制御情報は、特殊ビットを有して、制御チャネルがダウンリンク制御情報だけを有するかそれともアップリンク制御情報だけを有するか、並びに制御チャネルがフィードバック情報を有するかそれとも他の制御情報を有するかを示してもよい。特殊ビットは、制御チャネルがブロードキャスト情報、マルチメディアブロードキャスト／マルチキャストサービス（ＭＢＭＳ）、周期的サービスに関する永続的スケジューリング情報、ページング情報またはＷＴＲＵのグループに関する制御情報を含むかどうかも示してもよい。
【００３０】
ノードＢ１０２からＷＴＲＵ１０４へのアップリンク制御情報は、送信フィードバック情報を有してもよい。ＷＴＲＵ１０４からノードＢ１０２へのダウンリンク制御情報は、フィードバック情報だけを有する。ＷＴＲＵ１０４からノードＢ１０２へのアップリンク制御情報は、パケット解読情報、受信プロセス情報及びスケジューリング要求（必要な場合）を有する。ノードＢ１０２からＷＴＲＵ１０４へのダウンリンク制御情報は、解読情報、受信プロセス情報及びスケジュール応答（必要な場合）を有する。
【００３１】
好ましい実施形態では、全制御情報を含むただ１つのパケットが使用されてもよい。あるいは、複数のパケットが使用されてもよい。ただ１つのパケットは、ダウンリンクとアップリンクの両方で必要なダウンリンク制御情報とアップリンク制御情報のすべてを収容する。制御パケットは、解読情報、受信プロセス情報、フィードバック情報及びスケジューリング情報（すなわち、スケジューリング要求またはスケジューリング応答）を収容する。アクティブ情報要素を示すために、何らかの表示が制御パケットに含まれてもよい。
【００３２】
ダウンリンク制御チャネル１１４及びアップリンク制御チャネル１１２は、全ＷＴＲＵに対する共用チャネルでもよいし、ただ１つのＷＴＲＵまたはＷＴＲＵのグループに割り当てられる個別チャネルでもよい。アップリンク制御チャネル１１２は、複数のＷＴＲＵ間で衝突が起こり得ることから、共用チャネルではないことが好ましい。
【００３３】
アップリンク制御チャネル１１２は、アクティブアップリンクデータ転送中及び／またはアクティブダウンリンクデータ転送中にだけ、ＷＴＲＵ１０４に割り当てられてもよい（すなわち、必要に応じて）。あるいは、アップリンク制御チャネル１１２は、休止状態でさえＷＴＲＵ１０４に割り当てられてもよい。ダウンリンク制御チャネルとアップリンク制御チャネルの設定に関する４つの代替案を表５に要約する。方法３と方法４が、好ましい代替案である。
【００３４】
【表５】
0005616492.tif 000006
【００３５】
ダウンリンク制御チャネルが１つで、ＴＴＩ毎にリソース割り当てを行うシステム動作例について、図２を参照して説明する。図２は、本発明の一実施形態による制御パケット及びデータパケットの伝送に関する例示のプロセス２００のフロー図である。ＷＴＲＵは、ダウンリンク制御チャネル１１４をリッスンしている（ステップ２０２）。一旦ＷＴＲＵ１０４が、ノードＢ１０２からダウンリンク制御チャネル１１４で自装置宛の制御情報を取得すると、ＷＴＲＵ１０４は、スケジューリング情報（例えば、ダウンリンクデータチャネル、アップリンク制御チャネル及びアップリンクデータチャネルに対するリソース割り当て）、パケット解読情報、及び受信プロセス情報（例えば、符号化レート、変調スキーム、パケットサイズ、Ｈ−ＡＲＱプロセスＩＤ、冗長度バージョンなど）を取得する。制御パケットは、フィードバック情報（すなわち、前のアップリンクデータパケットのＨ−ＡＲＱ  ＡＣＫ／ＮＡＣＫ及びＣＱＩ）も含んでもよい。ＷＴＲＵ１０４は、スケジューリング情報を受信し、ダウンリンクデータチャネル１１６、アップリンク制御チャネル１１２及びアップリンクデータチャネル１１８を設定する（ステップ２０４）。
【００３６】
ノードＢ１０２は、ダウンリンクデータチャネル１１６を介してＷＴＲＵ１０４にデータパケットを送信する（ステップ２０６）。ＷＴＲＵ１０４は、ダウンリンクデータチャネル１１６でダウンリンクデータパケットを受信し、ダウンリンク制御チャネル１１４を介して制御パケットで受信したパケット解読情報及び受信プロセス情報に基づき、データパケットを復号化し処理する（ステップ２０８）。
【００３７】
ＷＴＲＵ１０４は、ダウンリンクデータパケットに、フィードバック情報（すなわち、ＡＣＫ／ＮＡＣＫ）を収容する制御パケットで応答する（ステップ２１０）。必要な場合、ＷＴＲＵ１０４は、アップリンク送信に関するスケジューリング要求、パケット解読情報及び受信プロセス情報（すなわち、符号化レート、変調スキーム、パケットサイズ、Ｈ−ＡＲＱプロセスＩＤ、冗長度バージョンなど）も送信してもよく、続いてアップリンクデータパケットを送信してもよい（ステップ２１０、２１２）。ノードＢ１０２は、アップリンク制御チャネルを介して受信した制御パケット内の制御情報を使用して、ＷＴＲＵ１０４からアップリンクデータパケットを受信し処理する（ステップ２１４）。
【００３８】
主ダウンリンク制御チャネル、副ダウンリンク制御チャネル及び継続期間ベースのリソース割り当てを有するシステム動作例について、図３を参照して説明する。図３は、本発明の別の実施形態による制御パケット及びデータパケットの伝送の例示のプロセス３００のフロー図である。２つのダウンリンク制御チャネル（すなわち、主ダウンリンク制御チャネル及び副ダウンリンク制御チャネル）がある。主制御チャネル（共通制御チャネルと呼ばれてもよい）については、各ＷＴＲＵ１０４が知っており、モニタする。各ＷＴＲＵ１０４は、主チャネルでノードＢ１０２から自装置宛の制御情報を受信する。ノードＢ１０２は、主ダウンリンク制御チャネルでスケジューリング情報を送信する（ステップ３０２）。スケジューリング情報は、副ダウンリンク制御チャネル、ダウンリンクデータチャネル、アップリンク制御チャネル及びアップリンクデータチャネルに対するリソース割り当てを含む。副ダウンリンク制御チャネルは、ＷＴＲＵ１０４宛の個別制御チャネルである。スケジューリング情報の受信時、ＷＴＲＵ１０４は、副ダウンリンク制御チャネル、ダウンリンクデータチャネル、アップリンク制御チャネル及びアップリンクデータチャネルを設定する（ステップ３０４）。
【００３９】
ノードＢ１０２は、副ダウンリンク制御チャネルで制御情報（すなわち、符号化レート、変調スキーム、パケットサイズ、Ｈ−ＡＲＱプロセスＩＤ、冗長度バージョンなどのパケット関連情報）を送信する（ステップ３０６）。ノードＢ１０２は、副ダウンリンク制御チャネルでフィードバック情報（すなわち、前のアップリンクデータパケットのＡＣＫ／ＮＡＣＫ及びＣＱＩ）を送信してもよい。次いでノードＢ１０２は、ダウンリンクデータチャネルを介してＷＴＲＵ１０４にデータパケットを送信する（ステップ３０８）。ＷＴＲＵ１０４は、副ダウンリンク制御チャネルで受信した制御情報に基づき、データパケットを復号化し処理する（ステップ３１０）。ＷＴＲＵ１０４は、アップリンク制御チャネルを介してデータパケットに対するフィードバック情報（すなわち、ＡＣＫ／ＮＡＣＫ）を収容する制御パケットを送信する（ステップ３１２）。必要な場合、ＷＴＲＵ１０４は、アップリンク制御チャネルを介して、フィードバックと一緒にアップリンク送信のためのスケジューリング要求及びパケット関連情報を送信してもよい。次いでＷＴＲＵ１０４は、アップリンクデータチャネルを介してアップリンクデータパケットを送信してもよい（ステップ３１４）。ノードＢ１０２は、アップリンク制御チャネルを介して受信した制御情報に基づき、アップリンクデータパケットを受信し、復号化し、処理する（ステップ３１６）。主制御チャネルが、指定の期間、副制御チャネル及びデータ伝送チャネルを配分する場合、ＷＴＲＵ１０４は、継続的に（すなわち、各ＴＴＩ）または周期的に（すなわち、複数のＴＴＩにまたがる受信パターンに従って）、配分期間中に配分されたチャネルを受信する。
【００４０】
アクティブＨ−ＡＲＱプロセスに対するＨ−ＡＲＱ制御パケットは、必要に応じて送信されてもよい。Ｈ−ＡＲＱ情報（Ｈ−ＡＲＱプロセスＩＤ、新データ表示及び冗長度バージョンなど）が次のパケット（例えば、次のデータパケットのヘッダ）に含まれる場合、ＴＴＩごとにスケジューリング情報を送信する必要はない。スケジューリング情報のためのダウンリンク制御パケットは、リソース配分、変調スキームまたはパケットサイズに変更がある場合だけ送信される。
【００４１】
制御情報は、データパケットに便乗してもよい。制御情報（ＡＣＫ／ＮＡＣＫ、ＣＱＩ、スケジューリング応答、またはスケジューリング要求など）は、データパケットのデータに便乗してもよい。このことは、アップリンクＨ−ＡＲＱプロセスもダウンリンクＨ−ＡＲＱプロセスもアクティブであるとき、特に役に立つ。ダウンリンクデータパケットは、ＡＣＫ／ＮＡＣＫ、ＣＱＩ及びスケジューリング応答を運んでもよい。アップリンクデータパケットは、ＡＣＫ／ＮＡＣＫ、ＣＱＩ及びスケジューリング要求を運んでもよい。
【００４２】
あるいは、２つのアップリンク制御チャネル（すなわち、主アップリンク制御チャネル及び副アップリンク制御チャネル）が用意されてもよい。主アップリンク制御チャネルは、リソース要求を送信するために使用され、副制御チャネルは、パケット解読情報、受信プロセス情報及びフィードバック情報を送信するために使用される。
【００４３】
ダウンリンクリソース配分は、暗黙のうちにアップリンクリソース配分を意味してもよい。例えば、ＷＴＲＵ１０４にダウンリンクでＨＳＤＰＡ用のリソースが割り当てられるとき、アップリンクで特定のリソースがデータ及び／または制御（ＡＣＫ／ＮＡＣＫ、小データパケット及びアップリンク送信用のスケジューリング要求など）の送信に割り当てられることを暗黙のうちに意味してもよい。アップリンクデータチャネル及びアップリンク制御チャネルは、ダウンリンクデータチャネルまたはダウンリンク制御チャネルから時間または周波数の固定オフセットを有してもよく、ＷＴＲＵ１０４は、固定オフセットに基づきアップリンクチャネルを設定してもよい。
【００４４】
ノードＢ１０２は、アップリンク送信用の送信電力、パケットサイズ、変調スキーム、符号化レート及びＨ−ＡＲＱプロセスに関して決定をしてもよい。この場合、アップリンクデータパケット用の制御情報は、ノードＢ１０２からダウンリンク制御チャネルを介してＷＴＲＵ１０４に送信される。
【００４５】
ＷＴＲＵ１０４は、ダウンリンク制御チャネルをモニタするよう要求される。時分割多重（ＴＤＭ）システムの場合、ＷＴＲＵ１０４は、ＷＴＲＵ１０４に割り当てられていないタイムスロット中スリープしてもよく、割り当てられたタイムスロット中は制御チャネルをリッスンするためにウェイクアップしてもよい。
【実施例１】
【００４６】
１．ＷＴＲＵ及びノードＢを含む無線通信システムにおいて、高速ダウンリンク及び高速アップリンクをサポートする制御情報を提供する方法。
【００４７】
２．ダウンリンク伝送とアップリンク伝送の両方に関するダウンリンク制御情報を伝達するために、ノードＢがＷＴＲＵに少なくとも１つのダウンリンク制御チャネルを割り当てるステップを含む実施形態１の方法。
【００４８】
３．ダウンリンク伝送とアップリンク伝送の両方に関するアップリンク制御情報を伝達するために、ノードＢがＷＴＲＵに少なくとも１つのアップリンク制御チャネルを割り当てるステップを含む実施形態１乃至２のいずれかの方法。
【００４９】
４．ノードＢとＷＴＲＵが、ダウンリンク制御チャネル及びアップリンク制御チャネルを介して、それぞれダウンリンク制御情報及びアップリンク制御情報を通信するステップを含む実施形態３の方法。
【００５０】
５．ＷＴＲＵが、ダウンリンク制御情報に基づきダウンリンクデータを受信するステップを含む実施形態４の方法。
【００５１】
６．ＷＴＲＵが、アップリンク制御情報に基づきアップリンクデータを送信するステップを含む実施形態４乃至５のいずれかの方法。
【００５２】
７．ノードＢが、アップリンク制御情報に基づきアップリンクデータを受信するステップを含む実施形態４乃至６のいずれかの方法。
【００５３】
８．ノードＢが、ダウンリンク制御情報に基づきダウンリンクデータを送信するステップを含む実施形態４乃至７のいずれかの方法。
【００５４】
９．ダウンリンク制御情報及びアップリンク制御情報は、パケット解読情報、受信プロセス情報及びフィードバック情報の少なくとも１つを含む実施形態４乃至８のいずれかの方法。
【００５５】
１０．ダウンリンク制御情報及びアップリンク制御情報は、スケジューリング情報を含む実施形態４乃至９のいずれかの方法。
【００５６】
１１．スケジューリング情報は、スケジューリング要求情報及びスケジューリング応答情報を含む実施形態１０の方法。
【００５７】
１２．スケジューリング情報を、パケット解読情報、受信プロセス情報及びフィードバック情報の少なくとも１つと多重化する実施形態１０乃至１１のいずれかの方法。
【００５８】
１３．ダウンリンク制御チャネルは、主ダウンリンク制御チャネル及び副ダウンリンク制御チャネルを含む実施形態２乃至１２のいずれかの方法。
【００５９】
１４．主ダウンリンク制御チャネルは全ＷＴＲＵに対する共用制御チャネルであり、副制御チャネルは少なくとも１つのＷＴＲＵに対する個別制御チャネルである実施形態１３の方法。
【００６０】
１５．スケジューリング情報を、主ダウンリンク制御チャネルを介して伝送し、パケット解読情報、受信プロセス情報及びフィードバック情報を、副ダウンリンク制御チャネルを介して伝送する実施形態１３乃至１４のいずれかの方法。
【００６１】
１６．パケット解読情報、受信プロセス情報、フィードバック情報及びスケジューリング情報の少なくとも１つが、データパケットに便乗する実施形態９乃至１５のいずれかの方法。
【００６２】
１７．スケジューリング情報をＴＴＩごとに提供する実施形態１０乃至１６のいずれかの方法。
【００６３】
１８．スケジューリング情報を必要に応じて提供する実施形態１０乃至１７のいずれかの方法。
【００６４】
１９．スケジューリング情報は、リソース割り当て及び継続期間を含み、当該継続期間は、リソース割り当てが有効である期間を示す実施形態１０乃至１８のいずれかの方法。
【００６５】
２０．ノードＢからＷＴＲＵに送信するスケジューリング情報は、ダウンリンクデータチャネルへのリソース割り当て、アップリンクデータチャネルへのリソース割り当て、アップリンク制御チャネルへのリソース割り当て、及びタイミング調整情報の少なくとも１つを含む実施形態１０乃至１９のいずれかの方法。
【００６６】
２１．タイミング調整情報を個別のパケットによって伝送する実施形態２０の方法。
【００６７】
２２．パケット解読情報は、変調スキーム、符号化レート及びパケットサイズの少なくとも１つを含む実施形態９乃至２１のいずれかの方法。
【００６８】
２３．受信プロセス情報は、Ｈ−ＡＲＱプロセスＩＤ、新データ表示、冗長度バージョン、パケットシーケンス番号及びステータス情報の少なくとも１つを含む実施形態９乃至２２のいずれかの方法。
【００６９】
２４．フィードバック情報は、ＡＣＫ／ＮＡＣＫ表示、ＣＱＩ、パケットシーケンス番号、Ｈ−ＡＲＱプロセスＩＤ、ステータス情報、送信ダイバーシティ情報及び電力制御情報の少なくとも１つを含む実施形態９乃至２３のいずれかの方法。
【００７０】
２５．ダウンリンク制御情報とアップリンク制御情報とを、個別の制御チャネルを通じて別々に送信する実施形態３乃至２４のいずれかの方法。
【００７１】
２６．ダウンリンク制御情報とアップリンク制御情報とを、１つの制御チャネルを介して同時に送信する実施形態３乃至２４のいずれかの方法。
【００７２】
２７．ダウンリンク制御チャネルを、ダウンリンクに関してアクティブデータ転送があるときだけＷＴＲＵに割り当て、アップリンク制御チャネルを、アップリンクに関してアクティブデータ転送があるときだけＷＴＲＵに割り当てる実施形態３乃至２６のいずれかの方法。
【００７３】
２８．ダウンリンク制御チャネルを、ダウンリンクに関してアクティブデータ転送がないにもかかわらずＷＴＲＵに割り当て、アップリンク制御チャネルを、アップリンクに関してアクティブデータ転送がないにもかかわらずＷＴＲＵに割り当てる実施形態３乃至２６のいずれかの方法。
【００７４】
２９．ダウンリンク制御チャネル及びアップリンク制御チャネルの少なくとも１つは、共用チャネルである実施形態３乃至２８のいずれかの方法。
【００７５】
３０．ダウンリンク制御チャネル及びアップリンク制御チャネルの少なくとも１つは、個別チャネルである実施形態３乃至２８のいずれかの方法。
【００７６】
３１．ノードＢが送信するスケジューリング応答情報は、アップリンク送信に対するリソース割り当てを含む実施形態１１乃至３０のいずれかの方法。
【００７７】
３２．無線通信システムは、ＴＤＤシステムである実施形態１乃至３１のいずれかの方法。
【００７８】
３３．ＷＴＲＵは、ＷＴＲＵに割り当てられていないタイムスロット中スリープする実施形態３２の方法。
【００７９】
３４．ノードＢからＷＴＲＵに送信するスケジューリング情報は、ダウンリンクリソース割り当てを含み、アップリンクリソース割り当ては、ダウンリンクリソース割り当てから暗示的に得られる実施形態１０乃至３３のいずれかの方法。
【００８０】
３５．アップリンク制御チャネルは、主アップリンク制御チャネル及び副アップリンク制御チャネルを含む実施形態３乃至３４のいずれかの方法。
【００８１】
３６．スケジューリング情報を、主アップリンク制御チャネルを介して伝送し、パケット解読情報、受信プロセス情報及びフィードバック情報を、副アップリンク制御チャネルを介して伝送する実施形態３５の方法。
【００８２】
３７．ダウンリンク制御チャネルは、制御情報の種類を特定するための表示ビットを含む実施形態２乃至３６のいずれかの方法。
【００８３】
３８．表示ビットは、ダウンリンク制御チャネルがダウンリンク制御情報だけを有することを特定する実施形態３７の方法。
【００８４】
３９．表示ビットは、ダウンリンク制御チャネルがアップリンク制御情報だけを有することを特定する実施形態３７の方法。
【００８５】
４０．表示ビットは、ダウンリンク制御チャネルがブロードキャスト情報を有することを特定する実施形態３７の方法。
【００８６】
４１．表示ビットは、ダウンリンク制御チャネルがＭＢＭＳ制御情報を有することを特定する実施形態３７の方法。
【００８７】
４２．表示ビットは、制御チャネルが永続的スケジューリング情報を有することを特定する実施形態３７の方法。
【００８８】
４３．表示ビットは、制御チャネルがページング情報を有することを特定する実施形態３７の方法。
【００８９】
４４．高速ダウンリンク及び高速アップリンクをサポートする制御情報を提供する無線通信システム。
【００９０】
４５．ＷＴＲＵに少なくとも１つのダウンリンク制御チャネルを割り当てるように構成されたノードＢを備える実施形態４４のシステム。
【００９１】
４６．ダウンリンク制御チャネルが、ダウンリンクとアップリンクの両方に関するダウンリンク制御情報を伝達するために用意される実施形態４５のシステム。
【００９２】
４７．ノードＢが、ＷＴＲＵに少なくとも１つのアップリンク制御チャネルを割り当てる実施形態４４乃至４６のいずれかのシステム。
【００９３】
４８．ダウンリンクとアップリンクの両方に関するアップリンク制御情報を伝達するために、アップリンク制御チャネルを用意する実施形態４７のシステム。
【００９４】
４９．ノードＢが、ダウンリンク制御チャネルを介してＷＴＲＵにダウンリンク制御情報を送信し、アップリンク制御情報及びダウンリンク制御情報に基づき、それぞれアップリンクデータ受信及びダウンリンクデータ送信の少なくとも１つを実行する実施形態４７乃至４８のいずれかのシステム。
【００９５】
５０．ＷＴＲＵが、アップリンク制御チャネルを介してノードＢにアップリンク制御情報を送信し、ダウンリンク制御情報及びアップリンク制御情報に基づき、それぞれダウンリンクデータ受信及びアップリンクデータ送信の少なくとも１つを実行するように構成された実施形態４７乃至４８のいずれかのシステム。
【００９６】
５１．制御情報は、パケット解読情報、受信プロセス情報及びフィードバック情報の少なくとも１つを含む実施形態４６乃至５０のいずれかのシステム。
【００９７】
５２．制御情報は、スケジューリング情報を含む実施形態４６乃至５１のいずれかのシステム。
【００９８】
５３．スケジューリング情報は、スケジューリング要求情報及びスケジューリング応答情報を含む実施形態５２のシステム。
【００９９】
５４．スケジューリング情報を、パケット解読情報、受信プロセス情報及びフィードバック情報の少なくとも１つと多重化する実施形態５２乃至５３のいずれかのシステム。
【０１００】
５５．ダウンリンク制御チャネルは、主ダウンリンク制御チャネル及び副ダウンリンク制御チャネルを含む実施形態４５乃至５４のいずれかのシステム。
【０１０１】
５６．主ダウンリンク制御チャネルは全ＷＴＲＵに対する共用制御チャネルであり、副制御チャネルは少なくとも１つのＷＴＲＵに対する個別制御チャネルである実施形態５５のシステム。
【０１０２】
５７．スケジューリング情報を、主ダウンリンク制御チャネルを介して伝送し、パケット解読情報、受信プロセス情報及びフィードバック情報を、副ダウンリンク制御チャネルを介して伝送する実施形態５５乃至５６のいずれかのシステム。
【０１０３】
５８．パケット解読情報、受信プロセス情報、フィードバック情報及びスケジューリング情報の少なくとも１つが、データパケットに便乗する実施形態５１乃至５７のいずれかのシステム。
【０１０４】
５９．スケジューリング情報をＴＴＩごとに提供する実施形態５２乃至５８のいずれかのシステム。
【０１０５】
６０．スケジューリング情報を必要に応じて提供する実施形態５２乃至５８のいずれかのシステム。
【０１０６】
６１．スケジューリング情報は、リソース割り当て及び継続期間を含み、当該継続期間は、リソース割り当てが有効である期間を示す実施形態５２乃至６０のいずれかのシステム。
【０１０７】
６２．ノードＢからＷＴＲＵに送信するスケジューリング応答情報は、ダウンリンクデータチャネルへのリソース割り当て、アップリンクデータチャネルへのリソース割り当て、アップリンク制御チャネルへのリソース割り当て、及びタイミング調整情報の少なくとも１つを含む実施形態５３乃至６１のいずれかのシステム。
【０１０８】
６３．タイミング調整情報を個別のパケットによって伝送する実施形態６２のシステム。
【０１０９】
６４．パケット解読情報は、変調スキーム、符号化レート及びパケットサイズの少なくとも１つを含む実施形態５１乃至６３のいずれかのシステム。
【０１１０】
６５．受信プロセス情報は、Ｈ−ＡＲＱプロセスＩＤ、新データ表示、冗長度バージョン、パケットシーケンス番号及びステータス情報の少なくとも１つを含む実施形態５１乃至６４のいずれかのシステム。
【０１１１】
６６．フィードバック情報は、ＡＣＫ／ＮＡＣＫ表示、ＣＱＩ、パケットシーケンス番号、Ｈ−ＡＲＱプロセスＩＤ、ステータス情報、送信ダイバーシティ情報及び電力制御情報の少なくとも１つを含む実施形態５１乃至６５のいずれかのシステム。
【０１１２】
６７．ダウンリンク制御情報とアップリンク制御情報とを、個別の制御チャネルを通じて別々に送信する実施形態４７乃至６６のいずれかのシステム。
【０１１３】
６８．ダウンリンク制御情報とアップリンク制御情報とを、１つの制御チャネルを介して同時に送信する実施形態４７乃至６６のいずれかのシステム。
【０１１４】
６９．ダウンリンク制御チャネルを、ダウンリンクに関してアクティブデータ転送があるときだけＷＴＲＵに割り当て、アップリンク制御チャネルを、アップリンクに関してアクティブデータ転送があるときだけＷＴＲＵに割り当てる実施形態４７乃至６８のいずれかのシステム。
【０１１５】
７０．ダウンリンク制御チャネルを、ダウンリンクに関してアクティブデータ転送がないにもかかわらずＷＴＲＵに割り当て、アップリンク制御チャネルを、アップリンクに関してアクティブデータ転送がないにもかかわらずＷＴＲＵに割り当てる実施形態４７乃至６８のいずれかのシステム。
【０１１６】
７１．ダウンリンク制御チャネル及びアップリンク制御チャネルの少なくとも１つは、共用チャネルである実施形態４７乃至７０のいずれかのシステム。
【０１１７】
７２．ダウンリンク制御チャネル及びアップリンク制御チャネルの少なくとも１つは、個別チャネルである実施形態４７乃至７０のいずれかのシステム。
【０１１８】
７３．ノードＢが送信するスケジューリング応答情報は、アップリンク送信に対するリソース割り当てを含む実施形態５３乃至７２のいずれかのシステム。
【０１１９】
７４．無線通信システムは、ＴＤＤシステムである実施形態４４乃至７３のいずれかのシステム。
【０１２０】
７５．ＷＴＲＵは、ＷＴＲＵに割り当てられていないタイムスロット中スリープする実施形態７４のシステム。
【０１２１】
７６．ノードＢからＷＴＲＵに送信するスケジューリング情報は、ダウンリンクリソース割り当てを含み、アップリンクリソース割り当ては、ダウンリンクリソース割り当てから暗示的に得られる実施形態５２乃至７５のいずれかのシステム。
【０１２２】
７７．アップリンク制御チャネルは、主アップリンク制御チャネル及び副アップリンク制御チャネルを含む実施形態４７乃至７６のいずれかのシステム。
【０１２３】
７８．スケジューリング情報を、主アップリンク制御チャネルを介して伝送し、パケット解読情報、受信プロセス情報及びフィードバック情報を、副アップリンク制御チャネルを介して伝送する実施形態７７のシステム。
【０１２４】
７９．ダウンリンク制御チャネルは、制御情報の種類を特定するための表示ビットを有する実施形態４５乃至７８のいずれかのシステム。
【０１２５】
８０．表示ビットは、ダウンリンク制御チャネルがダウンリンク制御情報だけを有することを特定する実施形態７９のシステム。
【０１２６】
８１．表示ビットは、ダウンリンク制御チャネルがアップリンク制御情報だけを有することを特定する実施形態７９のシステム。
【０１２７】
８２．表示ビットは、ダウンリンク制御チャネルがブロードキャスト情報を有することを特定する実施形態７９のシステム。
【０１２８】
８３．表示ビットは、ダウンリンク制御チャネルがマルチメディアブロードキャスト／マルチキャストサービス（ＭＢＭＳ）制御情報を有することを特定する実施形態７９のシステム。
【０１２９】
８４．表示ビットは、制御チャネルが永続的スケジューリング情報を有することを特定する実施形態７９のシステム。
【０１３０】
８５．表示ビットは、制御チャネルがページング情報を有することを特定する実施形態７９のシステム。
【０１３１】
本発明の機能及び構成要素について、特定の組み合わせによる好ましい実施形態で記述したが、各機能または各構成要素は、好ましい実施形態の他の機能及び他の構成要素なしに単独で使用されてもよいし、本発明の他の機能及び他の構成要素の有無にかかわらずに種々の組み合わせで使用されてもよい。
【図１】
0005616492.tif 000007
【図２】
0005616492.tif 000008
【図３】
0005616492.tif 000009